(57)【要約】【課題】雨漏りまたは水漏れ等の漏水経路を、より容易に、より短時間で特定することができる漏水経路の特定方法を提供する。【解決手段】厨房３を酸性水９１によって水張りを行う作業と、外壁２１にアルカリ性水を放水等する作業とを並行して行う。躯体コンクリート１５の表面から漏れ出ている漏水のｐＨ値を測定する。そのｐＨ値またはｐＨ値の変化に基づいて、厨房３から浸み込んでいるのか、外壁２１から浸み込んでいるのか、または、厨房３と外壁２１の双方から浸み込んでいるのかを判断することで、漏水経路を特定する。【選択図】図２
2016090501.tif 000002
【特許請求の範囲】
【請求項１】
建物において、漏水が発生した場合の漏水経路を特定するための漏水経路の特定方法であって、
ｐＨ値の互いに異なる複数の種類の水を、建物におけるそれぞれ異なる箇所に注水し、建物から漏れ出ている漏水のｐＨ値を測定することによって、建物に浸み込んでいる箇所を特定する、漏水経路の特定方法。
【請求項２】
複数の種類の前記水として、第１のｐＨ値を有する第１の水と、前記第１のｐＨ値とは異なる第２のｐＨ値を有する第２の水とを用意する工程と、
前記第１の水を、建物における第１の箇所に注水する工程と、
前記第２の水を、建物における、前記第１の箇所とは異なる第２の箇所に注水する工程と、
建物から漏れ出ている漏水のｐＨ値に基づいて、建物に浸み込んでいる箇所が前記第１の箇所であるか前記第２の箇所であるかを判断する工程と
を含む、請求項１記載の漏水経路の特定方法。
【請求項３】
前記第１の水として酸性水を用意するとともに、前記第２の水としてアルカリ性水を用意する工程と、
前記酸性水を、前記第１の箇所として、前記建物に設けられた水廻りに注水する工程と、
前記アルカリ性水を、前記第２の箇所として、前記建物における鉄筋コンクリート部分に注水する工程と
を含む、請求項２記載の漏水経路の特定方法。
【請求項４】
ｐＨ値の互いに異なる複数の種類の前記水を注水する際には、少なくとも二種類の水が、建物におけるそれぞれ異なる箇所に並行して注水される、請求項１〜３のいずれかに記載の漏水経路の特定方法。
【発明の詳細な説明】
【技術分野】
【０００１】
本発明は漏水経路の特定方法に関し、特に、建物等において発生する雨漏りまたは厨房等の水回りにおいて発生する水漏れ等の漏水経路を特定する方法に関するものである。
【背景技術】
【０００２】
建物の屋根、屋上またはバルコニー等においては、建物の老朽化等に伴って、雨漏りが発生することがある。また、厨房、洗面所または風呂場等の水廻りにおいても、長年の使用等に伴って水漏れが発生することがある。
【０００３】
従来、このような雨漏りまたは水漏れ等がどういう経路で発生しているか、漏水経路を特定する方法が提案されている。たとえば、特許文献１では、紫外線を照射することによって発光する発光検査液を用いて、漏水箇所（経路）を特定する方法が提案されている。また、特許文献２では、着色した調整液を複数の箇所に注入することによって、漏水箇所（経路）を特定する方法が提案されている。さらに、特許文献３では、酢酸カルシウムを水溶液を用いて漏水箇所（経路）を特定する方法が提案されている。
【先行技術文献】
【特許文献】
【０００４】
【特許文献１】特公平０６−９４７３７号公報
【特許文献２】特開２００２−２７７３４３号公報
【特許文献３】特開２００１−３５６１２１号公報
【発明の概要】
【発明が解決しようとする課題】
【０００５】
上記のように、従来から、雨漏りまたは水漏れの箇所（経路）を特定する方法が種々提案されている。本発明は、さらなる改善を求めてなされたものであり、その目的は、雨漏りまたは水漏れ等の漏水経路を、より容易に、より短時間で特定することができる漏水経路の特定方法を提供することである。
【課題を解決するための手段】
【０００６】
本発明に係る漏水経路の特定方法は、建物において、漏水が発生した場合の漏水経路を特定するための漏水経路の特定方法であって、ｐＨ値の互いに異なる複数の種類の水を、建物におけるそれぞれ異なる箇所に注水し、建物から漏れ出ている漏水のｐＨ値を測定することによって、建物に浸み込んでいる箇所を特定する。
【０００７】
本発明に係る漏水経路の特定方法によれば、建物から漏れ出ている漏水のｐＨ値によって、または、ｐＨ値の変化を捉えることで、漏水経路を容易に短い時間で特定することができる。
【０００８】
より具体的には、複数の種類の水として、第１のｐＨ値を有する第１の水と、第１のｐＨ値とは異なる第２のｐＨ値を有する第２の水とを用意する工程と、第１の水を、建物における第１の箇所に注水する工程と、第２の水を、建物における、第１の箇所とは異なる第２の箇所に注水する工程と、建物から漏れ出ている漏水のｐＨ値に基づいて、建物に浸み込んでいる箇所が第１の箇所であるか第２の箇所であるかを判断する工程とを含んでいることが好ましい。
【０００９】
さらに具体的には、第１の水として酸性水を用意するとともに、第２の水としてアルカリ性水を用意する工程と、酸性水を、第１の箇所として、建物に設けられた水廻りに注水する工程と、アルカリ性水を、第２の箇所として、建物における鉄筋コンクリート部分に注水する工程とを含んでいることが好ましい。
【００１０】
そして、ｐＨ値の互いに異なる複数の種類の水を注水する際には、少なくとも二種類の水が、建物におけるそれぞれ異なる箇所に並行して注水されることが好ましい。
【図面の簡単な説明】
【００１１】
【図１】本発明の実施の形態１に係る漏水経路の特定方法として、建物に設けられた厨房とその近傍を示す部分断面図である。
【図２】同実施の形態において、漏水経路の特定方法を説明するための第１の部分断面図である。
【図３】同実施の形態において、漏水経路の特定方法を説明するための第２の部分断面図である。
【図４】同実施の形態において、漏水経路の特定方法を説明するための第３の部分断面図である。
【図５】同実施の形態において、漏水経路の特定方法を説明するための第４の部分断面図である。
【図６】本発明の実施の形態２に係る漏水経路の特定方法として、建物の屋上とその近傍を示す部分断面図である。
【図７】同実施の形態において、漏水経路の特定方法を説明するための第１の部分断面図である。
【図８】同実施の形態において、漏水経路の特定方法を説明するための第２の部分断面図である。
【図９】同実施の形態において、漏水経路の特定方法を説明するための第３の部分断面図である。
【発明を実施するための形態】
【００１２】
実施の形態１
ここでは、建物に設けられた水廻りの一例として、厨房とその近傍の漏水経路を特定する方法について説明する。
【００１３】
まず、厨房まわりの構造の一例について説明する。図１に示すように、建物１内に設けられた厨房３では、建物１の躯体コンクリート１５の上に、カウンター５が配置されている。カウンター５と建物１の外壁２１との間の領域（カウンター５の内側）には、流し台７と水道蛇口９が配置されている。水道蛇口９には、給水管１１が接続されている。
【００１４】
また、カウンター５の内側には、躯体コンクリート１５の上に防水層１７を介して床材１９が設置されている。その床材１９には、排水口１４が設けられている。排水口１４は排水管１３に繋がっている。一例に係る厨房まわりは、以上のように構成される。
【００１５】
次に、上述した厨房まわりの漏水経路を特定する方法について説明する。漏水経路（箇所）を特定するのに、酸性水およびアルカリ性水を使用し、必要に応じて水道水を使用する。これら３種類の水を使い分け、放水、水掛け、水張り、注水等を行い、ｐＨ値を測定する。酸性水として、ｐＨ値が約３〜５程度のものを用いることが望ましく、水道水と混合した濃度２５〜３０％程度のものを使用するのが望ましい。また、アルカリ性水として、ｐＨ値が約９〜１２程度のものを用いることが望ましく、水道水と混合した濃度３〜５％程度のものを使用するのが望ましい。なお、水道水のｐＨ値は約６〜８程度である。
【００１６】
酸性水またはアルカリ性水は、一般に市販されている装置によって製造することが可能であり、たとえば、ｐＨ値が２．７の酸性水や、ｐＨ値が１２のアルカリ性水を製造することができる。また、酸性水またはアルカリ性水は、市販のリトマス試験紙を用いることで、およそのｐＨ値を知ることができる。また、ｐＨ測定器を用いれば、より正確にｐＨ値を測定することができる。
【００１７】
厨房３とその近傍の漏水経路（箇所）については、経験上、いくつかの経路に絞られる。まず、カウンター５の内側では、床材１９または防水層１７等から水が浸み込む場合が想定される。また、外壁２１に生じたひび割れ２２等から雨水等が浸み込む場合が想定される。さらに、給水管１１から給水が漏れ出る場合が想定される。そして、排水管１３から排水が漏れ出る場合も想定される。
【００１８】
ここでは、一例として、厨房３の直下に位置する躯体コンクリート１５の表面（ひび割れ２０）から漏水が漏れ出た場合を想定して、その漏水経路を特定する方法について、具体的に説明する。
【００１９】
まず、厨房３の床（防水層１７等）について説明する。図２に示すように、厨房３の内側の床に酸性水９１を溜めて水張りを行う。ここで、時間の経過とともに、酸性水９１の水位が下がり、躯体コンクリート１５の表面から漏水しているとする。その漏水のｐＨ値を測定し、酸性を示せば、たとえば、防水層１７に不具合があることが考えられる。酸性水９１は、この防水層１７の不具合箇所から躯体コンクリート１５に浸み込み、ひび割れ２０を経て躯体コンクリート１５の表面から漏れ出ていることが考えられる（経路Ａ）。
【００２０】
一方、床に溜めた酸性水９１の水位が下がらず、躯体コンクリート１５の表面から漏水していなければ、防水層１７に不具合はないと考えられる。
【００２１】
次に、外壁２１について説明する。図３に示すように、たとえば、アルカリ性水９２を外壁２１に放水するか、水掛け等をする。しばらくして、躯体コンクリート１５の表面から漏水しているとする。その漏水のｐＨ値を測定し、アルカリ性を示せば、たとえば、外壁２１にひび割れ２２が生じていたり、外壁２１と躯体コンクリートと１５との打継部２３に不具合があることが考えられる。
【００２２】
アルカリ性水９２は、このひび割れ２２または打継部２３から外壁２１および躯体コンクリート１５に浸み込み、そのひび割れ２２または打継部２３とひび割れ２０とを経て、躯体コンクリート１５の表面から漏れ出ていることが考えられる（経路Ｂ）。
【００２３】
特に、酸性水９１とアルカリ性水９２を使用する場合、厨房３を酸性水９１によって水張りを行う作業と、外壁２１にアルカリ性水９２を放水等する作業とを並行して行っても、漏水経路を特定することができる。なお、並行とは、作業手順等によるタイムラグを含むことを意図する。
【００２４】
躯体コンクリート１５の表面から漏れ出ている漏水のｐＨ値を測定し、そのｐＨ値が酸性を示し、そのｐＨ値が当初の酸性水９１のｐＨ値とほとんど変化がなければ、経路Ｂには問題はなく、経路Ａに問題があることが考えられる。反対に、測定されたｐＨ値がアルカリ性を示し、そのｐＨ値が当初のアルカリ性水９２のｐＨ値とほとんど変化がなければ、経路Ａには問題はなく、経路Ｂに問題があることが考えられる。
【００２５】
また、測定されたｐＨ値が、当初の酸性水９１のｐＨ値よりも高くなったり、あるいは、当初のアルカリ性水９２のｐＨ値よりも低くなるような場合も想定される。この場合には、酸性水９１とアルカリ性水９２の双方が漏れ出ていると考えられ、経路Ａと経路Ｂとの双方に問題があることが考えられる。
【００２６】
次に、給水管１１について説明する。図４に示すように、アルカリ性水９２（または酸性水９１）を給水管１１に注水する。しばらくして、躯体コンクリート１５の表面から漏水しているとする。その漏水のｐＨ値を測定し、アルカリ性（または酸性）を示せば、給水管１１に不具合があることが考えられる。
【００２７】
アルカリ性水（または酸性水）は、この給水管１１の不具合箇所から躯体コンクリート１５に浸み込み、ひび割れ２０を経て躯体コンクリート１５の表面から漏れ出ていることが考えられる。なお、給水管１１に注水するアルカリ性水（または酸性水）の水圧を併せて測定することで、給水管１１に不具合があるか否かを、より正確に判断することができる。
【００２８】
また、このとき、給水管１１に注水する作業と、たとえば、厨房３を酸性水９１によって水張りを行う作業とを並行して行うことが好ましい。この場合には、漏水のｐＨ値の変化を捉えることで、漏水経路を特定することができる。特に、給水管１１にアルカリ性水９２を注水することで、ｐＨ値の変化がより捉えやすくなり、漏水経路をより特定しやすくなる。
【００２９】
さらに、給水管１１に注水する作業と、たとえば、外壁２１にアルカリ性水９２を放水等する作業とを並行して行うことが好ましい。この場合にも、漏水のｐＨ値の変化を捉えることで、漏水経路を特定することができる。特に、給水管１１に酸性水９１を注水することで、ｐＨ値の変化がより捉えやすくなり、漏水経路をより特定しやすくなる。
【００３０】
次に、排水管１３について説明する。図５に示すように、たとえば、酸性水９１を排水管１３に注水する。しばらくして、躯体コンクリート１５の表面から漏水しているとする。その漏水のｐＨ値を測定し、酸性を示せば、排水管１３に不具合があることが考えられる。酸性水９１は、この排水管１３の不具合箇所から躯体コンクリート１５に浸み込み、ひび割れ２０を経て躯体コンクリート１５の表面から漏れ出ていることが考えられる。
【００３１】
また、このとき、排水管１３に酸性水９１を注水する作業と、たとえば、外壁２１にアルカリ性水９２を放水等する作業とを並行して行うことが好ましい。この場合には、漏水のｐＨ値の変化を捉えることで、漏水経路を特定することができる。さらに、排水管１３に酸性水９１を注水する作業と、たとえば、厨房３を水張りする作業とを並行して行うことが好ましい。この場合には、特に、厨房３にアルカリ性水によって水張りをすることで、ｐＨ値の変化がより捉えやすくなり、漏水経路をより特定しやすくなる。
【００３２】
こうして、上述した漏水経路の特定方法では、アルカリ性水および酸性水を使用することで、単に水道水だけを使用した場合に比べて、以下のような効果が得られる。
【００３３】
漏水経路が複数想定される場合に、水道水だけを使用して漏水経路を特定しようとして、たとえば、想定される一つの漏水経路と他の一つの漏水経路とについて、水道水による水張りや注水等を並行して行うと、いずれの漏水経路を経て漏水したのか判断することが極めて困難である。このため、想定される一つの漏水経路について漏水の有無を確認した後でなければ、他の一つの漏水経路について漏水があるか否かを確認することができず、漏水経路を特定するのに時間を要することになる。
【００３４】
これに対して、アルカリ性水と酸性水とを使用する場合には、アルカリ性水による水張りや注水等と、酸性水による水張りや注水等とを並行して行い、漏水経路を特定することができる。すなわち、一つの経路については酸性水を水張り等し、他の一つの経路についてはアルカリ性水を注水等する作業を並行して行い、漏水のｐＨ値を測定し、そのｐＨ値の変化を捉えることで、いずれの経路を経て漏れ出たのか、または、その双方の経路を経て漏れ出たのであるかを判断することができる。これにより、漏水経路を特定する時間を短縮させることができる。その結果、漏水箇所の補修工事を効率よく進めることができ、また、補修費用も削減することができる。
【００３５】
また、特に、厨房３の床を水張りするのに、酸性水によって水張りをすることで、たとえば、食中毒の原因の一つとされるＯ−１５７等の細菌を死滅させることができ、除菌効果を期待することができる。さらに、建物の外壁２１等の鉄筋コンクリートにアルカリ性水を注水することで、鉄筋に対して防錆効果を期待することができ、コンクリートに対してアルカリ付与効果も期待することができる。
【００３６】
なお、上述した漏水経路の特定方法では、酸性水とアルカリ性水とを用いて漏水経路を特定する方法について具体的に説明したが、酸性水と水道水（中性水）とを用いたり、アルカリ性水と水道水（中性）とを用いてもよい。これらの場合でも、ｐＨ値の変化を捉えることで、漏水経路を短時間で特定することができる。
【００３７】
実施の形態２
ここでは、建物の屋上とその近傍の漏水経路を特定する方法について説明する。
【００３８】
まず、屋上まわりの構造の一例について説明する。図６に示すように、建物１の屋上５１では、建物１の躯体コンクリート５３の上に、下地調整層５５を介在させて下地防水層５７が敷かれている。その下地防水層５７を覆うように、保護コンクリート５９が敷かれている。
【００３９】
屋上５１の床には排水口６２が設けられ、排水口６２は排水管６１に繋がっている。排水管６１は、排水管ジョイント６３を介して排水樋７１に繋がっている。また、屋上５１の周囲には、外壁６５が設けられている。その外壁６５には、笠木モルタル６７が塗られている。一例に係る屋上まわりは、以上のように構成される。
【００４０】
次に、上述した屋上まわりの漏水経路を特定する方法について説明する。屋上５１とその近傍の漏水経路（箇所）についても、経験上、いくつかの経路に絞られる。まず、屋上５１に敷かれた下地防水層５７等から雨水等が浸み込む場合が想定される。また、外壁６５に生じたひび割れ６６、６８等から雨水等が浸み込む場合が想定される。さらに、排水管６１等から排水が漏れ出る場合も想定される。
【００４１】
ここでは、一例として、屋上５１の躯体コンクリート５３の表面（ひび割れ６０）から漏水が漏れ出た場合を想定して、その漏水経路を特定する方法について、具体的に説明する。
【００４２】
まず、屋上５１の床（下地防水層５７等）について説明する。図７に示すように、屋上５１に、たとえば、水道水９３を溜めて水張りを行う。ここで、時間の経過とともに、水道水９３の水位が下がり、躯体コンクリート５３の表面から漏水しているとする。そうすると、下地防水層５７等に不具合があることが考えられる。
【００４３】
水道水９３は、この下地防水層５７等の不具合箇所から躯体コンクリート５３に浸み込み、ひび割れ６０を経て躯体コンクリート５３の表面から漏れ出ていることが考えられる（経路Ｃ）。なお、この場合、漏水のｐＨ値を測定し、中性であることを確認するようにしてもよい。
【００４４】
一方、屋上５１に溜めた水道水９３の水位が下がらず、躯体コンクリート５３の表面から漏水していなければ、下地防水層５７等に不具合はないと考えられる。
【００４５】
次に、外壁６５について説明する。図８に示すように、たとえば、アルカリ性水９２（または酸性水９１）を外壁６５に放水するか、水掛け等をする。しばらくして、躯体コンクリート５３の表面から漏水しているとする。その漏水のｐＨ値を測定し、アルカリ性（または酸性）を示せば、たとえば、外壁６５および笠木モルタル６７にひび割れ６６、６８が生じていたり、外壁６５と躯体コンクリート５３との打継部６９に不具合があることが考えられる。
【００４６】
酸性水９１（またはアルカリ性水９２）は、このひび割れ６６、６８または打継部６９から外壁６５および躯体コンクリート５３に浸み込み、そのひび割れ６６、６８または打継部６９とひび割れ６０とを経て、躯体コンクリート５３の表面から漏れ出ていることが考えられる（経路Ｄ）。
【００４７】
また、このとき、外壁６５にアルカリ性水９２（または酸性水９１）を放水等する作業と、屋上５１に水道水９３によって水張りを行う作業とを並行して行っても、漏水経路を特定することができる。
【００４８】
躯体コンクリート５３の表面から漏れ出ている漏水のｐＨ値を測定し、そのｐＨ値が当初の水道水９３のｐＨ値からほとんど変化がなければ、経路Ｄには問題はなく、経路Ｃに問題があることが考えられる。反対に、測定されたｐＨ値が、当初のアルカリ性水９２（または酸性水９１）のｐＨ値とほぼ同じ値であれば、経路Ｃに問題はなく、経路Ｄに問題があることが考えられる。
【００４９】
また、測定されたｐＨ値が、アルカリ性（または酸性）のｐＨ値であり、当初のアルカリ性水９２（または酸性水９１）のｐＨ値よりも低い（または高い）ｐＨ値が測定されるような場合も想定される。この場合には、アルカリ性水９２（または酸性水９１）が水道水９３によって、アルカリ性（または酸性）が薄められた可能性があり、経路Ｃおよび経路Ｄの双方に問題があることが考えられる。
【００５０】
次に、排水管６１について説明する。図９に示すように、たとえば、酸性水９１（またはアルカリ性水９２）を注水する。しばらくして、躯体コンクリート５３の表面から漏水しているとする。その漏水のｐＨ値を測定し、酸性（またはアルカリ性）を示せば、排水管ジョイント６３を含め排水管６１に不具合があることが考えられる。酸性水９１（アルカリ性水９２）は、この排水管６１等の不具合箇所から躯体コンクリート５３に浸み込み、ひび割れ６０を経て躯体コンクリート５３の表面から漏れ出ていることが考えられる（経路Ｅ）。
【００５１】
また、このとき、排水管６１に酸性水９１（またはアルカリ性水９２）を注水する作業と、屋上５１に水道水９３によって水張りを行う作業とを並行して行っても、漏水経路を特定することができる。
【００５２】
躯体コンクリート５３の表面から漏れ出ている漏水のｐＨ値を測定し、そのｐＨ値が当初の水道水９３のｐＨ値からほとんど変化がなければ、経路Ｅに問題はなく、経路Ｃに問題があることが考えられる。反対に、測定されたｐＨ値が、当初の酸性水９１（またはアルカリ性水９２）のｐＨ値とほぼ同じ値であれば、経路Ｃに問題はなく、経路Ｅに問題があることが考えられる。
【００５３】
また、測定されたｐＨ値が、酸性（またはアルカリ性）のｐＨ値であり、当初の酸性水９１（またはアルカリ性水９２）のｐＨ値よりも高い（または低い）ｐＨ値が測定されるような場合も想定される。この場合には、酸性水９１（またはアルカリ性水９２）が水道水９３によって、酸性（またはアルカリ性）が薄められた可能性があり、経路Ｃおよび経路Ｅの双方に問題があることが考えられる。
【００５４】
上述した漏水経路の特定方法では、酸性水、アルカリ性水および水道水の少なくともの二種類の水を使用することで、実施の形態１において説明したように、漏水経路を特定する時間を短縮させることができる。
【００５５】
すなわち、想定される複数の箇所にそれぞれｐＨ値の異なる水を注水し、漏れ出た漏水のｐＨ値を測定し、また、そのｐＨ値の変化を捉えることで、いずれの漏水経路を経て漏れ出たのかを判断することができ、漏水経路を特定する時間を短縮させることができる。その結果、漏水箇所の補修工事を効率よく進めることができ、漏水箇所を特定する作業も含め、補修工事の費用も削減することができる。
【００５６】
また、酸性水およびアルカリ性水を使用することで、発光する特殊な薬液を用いて漏水箇所を特定する方法や、着色した調整液を用いて漏水箇所を特定する方法と比べて、建物への影響や環境への負荷も少なくすることが可能である。
【００５７】
なお、酸性水として強酸性水（ｐＨ値＝２．７）を使用した場合には、漏水経路を特定した後、必要に応じて、残っている強酸性水を、水道水によって希釈するか、または、中和液によって中和させておくことが望ましい。
【００５８】
また、同様に、アルカリ性水として強アルカリ性水（ｐＨ値＝１２）を使用した場合には、必要に応じて、残って理う強アルカリ性水を、水道水によって希釈するか、中和液によって中和させておくことが望ましい。
【００５９】
上述した各実施の形態では、建物の水廻りとして、厨房を例に挙げて説明したが、水を扱う場所であれば、厨房に限られず、たとえば、洗面所、浴室、トイレ等からの水漏れについても、適用することができる。また、屋上の他に、バルコニー（ベランダ）等からの水漏れについても、適用することができる。
【００６０】
これらの場合においても、経験上想定される漏水経路と、漏水している実際の現場の状況に応じて、酸性水、アルカリ性水および水道水（中性水）の三種類の水を使い分け、そして、並行して注水等し、漏水のｐＨ値を測定することで、より短時間で漏水経路を特定することができる。その結果、漏水箇所の補修工事を効率よく進めることができ、また、補修費用も削減することができる。
【００６１】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００６２】
本発明は、建物における雨漏りおよび水漏れ等の対策に有効に利用される。
【符号の説明】
【００６３】
１  建物、３  厨房、５  カウンター、７  流し台、９  水道蛇口、１１  給水管、１３  排水管、１４  排水口、１５  躯体コンクリート、１７  防水層、１９  床材、２０  ひび割れ、２１  外壁、２２  ひび割れ、２３  打継部、５１  屋上、５３  躯体コンクリート、５５  下地調整層、５７  下地防水層、５９  保護コンクリート、６０  ひび割れ、６１  排水管、６２  排水口、６３  排水管ジョイント、６５  外壁、６６  ひび割れ、６７  笠木モルタル、６８  ひび割れ、６９  打継部、７１  排水樋、９１  酸性水、９２  アルカリ性水、９３  水道水。
【図１】
2016090501.tif 000003
【図２】
2016090501.tif 000004
【図３】
2016090501.tif 000005
【図４】
2016090501.tif 000006
【図５】
2016090501.tif 000007
【図６】
2016090501.tif 000008
【図７】
2016090501.tif 000009
【図８】
2016090501.tif 000010
【図９】
2016090501.tif 000011